(57)【要約】      （修正有）【課題】ピアス等装身具及び止め金具を、装脱着を容易にし、装飾性の高い装身具を提供する。【解決手段】装身具本体１台座に取り付けたピン２と、このピンの他端を保持する止め具３とを備える装身具であって、前記止め具は、前記ピンの他端が挿入され、保持される凹部が設けられた弾性体４と、この弾性体を覆うカバー部を設けてピアス装身具を形成する。【選択図】図５
0003164160.tif 000002
【実用新案登録請求の範囲】
【請求項１】
装身具本体台座に取り付けたピンと、このピンの他端を保持する止め具とを備える
装身具であって、前記止め具は、前記ピンの他端が挿入され、保持される凹部が
設けられた弾性体と、この弾性体を覆うカバー部を有するピアス装身具。
【請求項２】
装身具止め具本体を薄くするため、止め具内部に薄い形状の、弾性体を用い
この弾性体の柔軟性と、中央に設けた、装身具本体のピンより細い凹部を、ピンが通過、維持する過程で生じる、吸着性、固定性を利用した、請求項１に記載のピアス装身。
【請求項３】
ピアス装身具、すなわちピアス装身具本体と、耳裏止め金具にも、装飾品を
カバーに用い、また装身具部品も装備でき、簡易に装飾性と装身具としての
デザイン展開を可能にできる、請求項１，２のいずれかに記載のピアス装身具。
【考案の詳細な説明】
【技術分野】
【０００１】
本考案は、ピアス等の装身具を、耳に着ける際に用いる、装身具に付いたピンを
耳に差し通してから、そのピンと装身具本体と、止め金具本体を、抜け止めするための
装身具用の止め金具に関するものであり、特に、装身具本体と止め金具本体の
抜け止め機構と、装飾性に工夫を凝らした、ピアス等の装身具及び止め金具。
【背景技術】
【０００２】
従来、ピアス等の装身具の止め金具は、ピアス本体に取り付けたピンを、
装着者の耳を通し、耳の裏側において、ピアス本体に取り付けたピンを
止め金具本体の中心を通過させ、ピンの止め位置に設けた溝と
止め金具本体のロール形状を保つ金属に通過させて、その弾性において
ピアス本体の抜け止め機能を有するものである。
【考案の概要】
【考案が解決しようとする課題】
【０００３】
しかしながら、上記装身具等の止め金具において、利用者がピアスを装着する際に
止め金具の止める位置が、装着者の耳の厚みなどに関係なく、決まってしまい
多様性に欠けている欠点があった。また、ピンの挿入方向に従って止め金具本体が
大きくなり装身具としては違和感のある物であり、なおかつ装身具としての装飾性に
欠けている欠点があった。
【課題を解決するための手段】
【０００４】
本考案は、ピアス等の装身具本体に取り付けられた、ピンと止め金具本体に内蔵
された、弾性素材（シリコンゴム）により装着者を挟んでの、ピアス等の装身具及び
止め金具であり、ピアス本体の抜け止め機構を備えた、装身具用止め金具であって
ピアス本体の抜け止め機構が、ピアス本体裏に取り付けたピンが、装着者を挟んで
なおかつ止め金具本体を通過し、本体内部に備えた弾性素材に設けた、ピンより小径の
穴を通過、維持することにより、弾性素材の特性である、吸着性、柔軟性、固定性により
装身具本体の抜け止め機能になり、装身具本体の脱着が簡易であり、確実に抜け止め
されることを特徴とする。また、本考案の弾性素材（シリコンゴム）の形状により
装身具の止め金具本体が、装着者の邪魔にならない、薄さになり、なおかつピアス等の
装身具及び、裏止め金具にも装飾性を考案し、貴金属部分を少なくし、摸造石、貴石など
を使用することにより、カラーも豊富で美しく、構造も簡易であり、コストダウンも
図ることができる。
【考案の効果】
【０００５】
この考案の装身具等止め金具を採用することにより、本体内蔵の弾性素材に
設けた、装身具本体のピンより細い穴を、ピンが通過、維持することにより
弾性素材（シリコンゴム）特有の吸着性、柔軟性、固定性により、装着が可能になり
また、装着位置が移動可能なため、装着者の耳の厚みや、装着感の多様に対応可能になり
脱着もスムーズで便利である。
【０００６】
また、このピアス等装身具及び止め金具により、従来にはないピアス等の裏金具にも
本考案の薄い形状の弾性素材を使用することにより、円の外形だけでなく違う形も形成
することができ、宝石、貴石なども使用可能になり、装着者の邪魔にならない形状で
耳の後ろから見ても綺麗で、髪の毛や服を引っ掛けることもなく、安全であり
装身具としての利用性を高めることができる。
【０００７】
また、本考案のピアス等装身具及び止め金具は、装身具本体と止め金具との
対の装身具としても利用可能であり、外形は同じ形成が可能なため、装身具本体または
止め金具本体に、貴石や色石など使用可能になり、装飾性を高めることができる。
【０００８】
また、本考案のピアス等装身具及び止め金具は、互いの本体どうしに、丸カンを
装着することにより、ピアス等装身具及び止め金具をチェーンなどで連結することにより
装身具の紛失をなくすことができ、なおかつ丸カンに、装身具などを付けることもができ
装身具としての、展開を広げることができる。
【図面の簡単な説明】
【０００９】
【図１】本考案のピアス等装身具及び止め金具の全体図
【図２】本考案のピアス等装身具の片方側面図
【図３】本考案のピアス等装身具の図２に対じする止め金具本体の側面図
【図４】本考案のピアス等装身具及び止め金具に装着者も表した図
【図５】本考案のピアス等装身具及び止め金具に装飾性を加えた図
【図６】本考案のピアス等装身具及び止め金具正面図
【考案を実施するための形態】
【００１０】
以下、添付図面に従って実施例を説明する。図１は、ピアス等装身具及び止め金具の
装着した状態を示す。図２に示すように、１はピアス等の装身具の外形であり、１の
背面に取り付けられた２は、ピアス等の装身具に取り付けられた、ピンである。
８は、外形を形成する摸造石である。
【００１１】
図３に示すように、３は金属、５は摸造石などにより、装身具止め金具を
形成し、６のピアス等のピン挿入口より、図２のピン２を装着者の耳を挟み挿入する
ことにより、３と５で形成する装身具止め金具本体内部に備えた、薄い形状の
弾性素材（シリコンゴム）４の中央に設けた、７のピンの径より細い穴を通過、維持
することにより、装身具本体の脱着、抜け止めを可能にする。
【００１２】
図４は、ピアス等装身具及び止め金具を、装着者の耳を通過し装着した図である。
１の装身具本体には、９の丸カンを備えることができ、この丸カン９から、多様な
装身具を着けることも可能である。また、５，８は貴石、摸造石などの装飾品である。
【００１３】
図５は、ピアス等装身具及び止め金具に、１０、１１の丸カンを備えた図である。
１０、１１より１２のように、チェーン（鎖）などでつなぐこともでき、また、
１０、１１に装身具を着けることもでき、装身具として展開が可能である。
【符号の説明】
【００１４】
１  装身具本体
２  装身具止め金具ピン
３  装身具止め金具本体
４  弾性素材
５  止め金具本体の摸造装飾石
６  ピン挿入口
７  弾性素材に設けた穴
８  装身具本体の摸造装飾石
９  図４における装身具本体の丸カン
１０  止め金具本体の丸カン
１１  図５における装身具本体の丸カン
１２  （鎖）チェーン
【図１】
0003164160.tif 000003
【図２】
0003164160.tif 000004
【図３】
0003164160.tif 000005
【図４】
0003164160.tif 000006
【図５】
0003164160.tif 000007
【図６】
0003164160.tif 000008
【手続補正書】
【提出日】平成22年9月14日(2010.9.14)
【手続補正１】
【補正対象書類名】実用新案登録請求の範囲
【補正対象項目名】全文
【補正方法】変更
【補正の内容】
【実用新案登録請求の範囲】
【請求項１】
装身具本体の台座に取り付けたピンと、このピンの他端を保持する止め具とを備える装身具であって、前記止め具は、前記ピンの他端が挿入され、保持される凹部が設けられた弾性体と、この弾性体を覆うカバー部を有するピアス装身具。
【請求項２】
前記止め具を薄くするとともに前記弾性体を薄い形状とし、前記弾性体の凹部がピンより細くなっている、請求項１に記載のピアス装身具。
【請求項３】
前記装身具本体及び前記止め具に、装飾品が取り付け可能である、請求項１に記載のピアス装身具。
【手続補正２】
【補正対象書類名】明細書
【補正対象項目名】００１１
【補正方法】変更
【補正の内容】
【００１１】
図３に示すように、３は金属、５は摸造石などにより、止め金具を形成し、６のピアス等のピン挿入口より、図２のピン２を装着者の耳を挟み挿入する
ことにより、３と５で形成する止め金具本体内部に備えた、薄い形状の弾性素材（シリコンゴム）４の中央に設けた、７のピンの径より細い穴を通過、維持することにより、装身具本体の脱着、抜け止めを可能にする。
【手続補正３】
【補正対象書類名】明細書
【補正対象項目名】００１４
【補正方法】変更
【補正の内容】
【００１４】
１  装身具本体
２  ピン
３  金属
４  弾性素材
５  止め金具本体の摸造装飾石
６  ピン挿入口
７  弾性素材に設けた穴
８  装身具本体の摸造装飾石
９  図４における装身具本体の丸カン
１０  止め金具本体の丸カン
１１  図５における装身具本体の丸カン
１２  （鎖）チェーン